(57)【要約】【課題】本発明の課題は、記録メディアに記録されている複数の画像データを一覧表示するためのインデックス画像を迅速に表示させることである。【解決手段】記録再生装置１は、複数の画像データを縮小した縮小画像を含むインデックス画像を１つのファイルとして作成して、ＣＤ−Ｒ２にインデックス画像を記録させる。また、ＣＤ−Ｒ２に記録されたインデックス画像を表示部１７に表示させ、縮小画像を選択指示させることにより、リンクファイル３に基づいて対応する画像データをＣＤ−Ｒ２から取得させる。【選択図】      図１
2004208054.tif 000002
【特許請求の範囲】
【請求項１】
複数の画像データが記録された記録メディアであって、
前記画像データが縮小された縮小画像のうち少なくとも２以上を結合して１つのファイルとして構成したインデックス画像と、
前記画像データと、前記インデックス画像に含まれる縮小画像との対応付けを記憶するファイルと、
が記録されたことを特徴とする記録メディア。
【請求項２】
前記記録メディアに記録された画像データを再生する機器において、前記インデックス画像を自動表示させるためのプログラムが記録されたことを特徴とする請求項１記載の記録メディア。
【請求項３】
前記ファイルは、前記インデックス画像における縮小画像の座標情報と、縮小画像に対応する画像データの記録メディアにおける記録場所とを対応付けて記憶することを特徴とする請求項１記載の記録メディア。
【請求項４】
前記インデックス画像が複数記録されていることを特徴とする請求項１から３のいずれか一項に記載の記録メディア。
【請求項５】
記録メディアに画像データを記録する記録装置であって、
画像データと、前記画像データが縮小された縮小画像のうち少なくとも２以上を結合して１つのファイルとして構成したインデックス画像と、前記画像データと前記インデックス画像に含まれる縮小画像との対応付けを記憶するファイルと、を記録メディアに記録する記録部を備えることを特徴とする記録装置。
【請求項６】
前記記録メディアに記録される画像データを縮小して縮小画像を生成し、少なくとも２以上の前記縮小画像を結合したインデックス画像を１つのファイルとして生成するインデックス画像生成手段を備えることを特徴とする請求項５記載の記録装置。
【請求項７】
前記記録メディアに記録される画像データと、前記インデックス画像に含まれる縮小画像との対応付けを記憶するファイルを生成するファイル生成手段を備えることを特徴とする請求項５又は６記載の記録装置。
【請求項８】
前記ファイル生成手段は、前記インデックス画像に含まれる縮小画像の座標情報と、縮小画像に対応する画像データの記録メディアにおける記録場所とを対応付けて記憶するファイルを生成することを特徴とする請求項７記載の記録装置。
【請求項９】
前記記録部は、前記記録メディアに記録された画像データを使用する機器において、前記インデックス画像を自動表示させるためのプログラムを前記記録メディアに記録することを特徴とする請求項５から８のいずれか一項に記載の記録装置。
【請求項１０】
前記記録部は、複数のインデックス画像を記録メディアに記録することを特徴とする請求項５から９のいずれか一項に記載の記録装置。
【請求項１１】
記録メディアに記録された画像データを再生する再生装置であって、
前記画像データを表示する表示部と、
前記画像データが縮小された縮小画像のうち少なくとも２以上を結合して１つのファイルとして構成したインデックス画像を前記記録メディアから取得する再生部と、
前記再生部により取得されたインデックス画像を前記表示部に表示させる表示制御手段と、
を備えることを特徴とする再生装置。
【請求項１２】
前記表示部に表示されたインデックス画像に含まれる縮小画像を選択入力させる入力部を備え、
前記再生部は、前記画像データと前記インデックス画像に含まれる縮小画像との対応付けを記憶するファイルを前記記録メディアから取得し、
前記表示制御手段は、前記入力部により選択入力された縮小画像に対応する画像データを前記ファイルに基づいて特定し、前記再生部により前記記録メディアから特定した画像データを取得させ、当該画像データを表示部に表示させることを特徴とする請求項１１記載の再生装置。
【請求項１３】
前記再生部は、前記インデックス画像を自動表示させるためのプログラムを記録メディアから取得し、
前記表示制御手段は、当該プログラムに従って、前記再生部によりインデックス画像を取得させ、当該インデックス画像を表示部に表示させることを特徴とする請求項１１又は１２記載の再生装置。
【請求項１４】
記録メディアに画像データを記録するコンピュータに、
画像データと、前記画像データが縮小された縮小画像のうち少なくとも２以上を結合して１つのファイルとして構成したインデックス画像と、前記画像データと前記インデックス画像に含まれる縮小画像との対応付けを記憶するファイルと、を記録メディアに記録する機能を実現させるためのプログラム。
【請求項１５】
前記コンピュータに、
前記記録メディアに記録される画像データを縮小して縮小画像を生成し、少なくとも２以上の前記縮小画像を結合したインデックス画像を１つのファイルとして生成する機能を実現させるための請求項１４記載のプログラム。
【請求項１６】
前記コンピュータに、
前記記録メディアに記録される画像データと前記インデックス画像に含まれる縮小画像との対応付けを記憶するファイルを生成する機能を実現させるため請求項１４又は１５記載のプログラム。
【請求項１７】
前記コンピュータに、
前記インデックス画像に含まれる縮小画像の座標情報と、縮小画像に対応する画像データの記録メディアにおける記録場所とを対応付けて記憶するファイルを生成する機能を実現させるための請求項１６記載のプログラム。
【請求項１８】
前記コンピュータに、
前記記録メディアに記録された画像データを使用する機器において、前記インデックス画像を自動表示させるためのプログラムを記録する機能を実現させるための請求項１４から１７のいずれか一項に記載のプログラム。
【請求項１９】
前記コンピュータに、
複数のインデックス画像を記録メディアに記録する機能を実現させるための請求項１４から１８のいずれか一項に記載のプログラム。
【請求項２０】
記録メディアに記録された画像データを再生するコンピュータに、
前記画像データを表示する機能と、
前記画像データを縮小した縮小画像のうち少なくとも２以上を結合して１つのファイルとして構成したインデックス画像を前記記録メディアから取得する機能と、
前記取得されたインデックス画像を表示部に表示させる機能と、
を実現させるためのプログラム。
【請求項２１】
前記コンピュータに、
前記表示部に表示されたインデックス画像に含まれる縮小画像を選択入力させる機能と、
前記画像データと前記インデックス画像に含まれる縮小画像との対応付けを記憶するファイルを前記記録メディアから取得する機能と、
前記選択入力された縮小画像に対応する画像データを前記ファイルに基づいて特定し、前記記録メディアから特定した画像データを取得させ、当該画像データを表示部に表示させる機能と、
を実現させるための請求項２０記載のプログラム。
【請求項２２】
前記コンピュータに、
前記インデックス画像を自動表示させるためのプログラムを記録メディアから取得する機能と、
当該プログラムに従って、前記インデックス画像を取得させ、当該インデックス画像を表示部に表示させる機能と、
を実現させるための請求項２０又は２１記載のプログラム。
【発明の詳細な説明】
【０００１】
【発明の属する技術分野】
本発明は、複数の画像データを含むインデックス画像が記録された記録メディア、記録装置、再生装置及びプログラムに関するものである。
【０００２】
【従来の技術】
従来、複数の画像データを記録媒体に記録する場合、記録媒体に記録されている画像データを効率良く閲覧するために、複数の画像データを縮小して一覧表示させたインデックス画像を付加することが一般的である。このようなインデックス画像は、記録媒体に記録された画像データと対応付けられており、インデックス画像上で画像データを選択することにより、選択された画像データが記録媒体から取得され、表示、編集又は印刷等を行える構成となっている。（例えば、特許文献１参照）。
【０００３】
【特許文献１】
特開平６−１７８０８２号公報
【０００４】
【発明が解決しようとする課題】
しかしながら、従来のインデックス画像を表示させる場合、インデックス画像の表示要求がある毎に、個々の画像データに付帯して記録媒体に記憶されているインデックス用の縮小画像をそれぞれ読み出して、インデックス画像を作成していたため、インデックス画像の作成に時間が係るという問題があった。すなわち、インデックス画像の表示までに時間が係り、記録媒体に記録されている画像データの確認を速やかに行えないという問題があった。
【０００５】
本発明の課題は、記録メディアに記録されている複数の画像データを一覧表示するためのインデックス画像を迅速に表示させることができる記録メディア、記録装置、再生装置及びプログラムを提供することである。
【０００６】
【課題を解決するための手段】
上記課題を解決するために、請求項１記載の発明は、
複数の画像データが記録された記録メディアであって、
前記画像データが縮小された縮小画像のうち少なくとも２以上を結合して１つのファイルとして構成したインデックス画像と、
前記画像データと、前記インデックス画像に含まれる縮小画像との対応付けを記憶するファイルと、
が記録されたことを特徴とする。
【０００７】
請求項２記載の発明は、請求項１記載の記録メディアにおいて、
前記記録メディアに記録された画像データを再生する機器において、前記インデックス画像を自動表示させるためのプログラムが記録されたことを特徴とする。
【０００８】
請求項３記載の発明は、請求項１記載の記録メディアにおいて、
前記ファイルは、前記インデックス画像における縮小画像の座標情報と、縮小画像に対応する画像データの記録メディアにおける記録場所とを対応付けて記憶することを特徴とする。
【０００９】
請求項４記載の発明は、請求項１から３のいずれか一項に記載の記録メディアにおいて、
前記インデックス画像が複数記録されていることを特徴とする。
【００１０】
請求項５記載の発明は、
記録メディアに画像データを記録する記録装置であって、
画像データと、前記画像データが縮小された縮小画像のうち少なくとも２以上を結合して１つのファイルとして構成したインデックス画像と、前記画像データと前記インデックス画像に含まれる縮小画像との対応付けを記憶するファイルと、を記録メディアに記録する記録部を備えることを特徴とする。
【００１１】
請求項６記載の発明は、請求項５記載の記録装置において、
前記記録メディアに記録される画像データを縮小して縮小画像を生成し、少なくとも２以上の前記縮小画像を結合したインデックス画像を１つのファイルとして生成するインデックス画像生成手段を備えることを特徴とする。
【００１２】
請求項７記載の発明は、請求項５又は６記載の記録装置において、
前記記録メディアに記録される画像データと、前記インデックス画像に含まれる縮小画像との対応付けを記憶するファイルを生成するファイル生成手段を備えることを特徴とする。
【００１３】
請求項８記載の発明は、請求項７記載の記録装置において、
前記ファイル生成手段は、前記インデックス画像に含まれる縮小画像の座標情報と、縮小画像に対応する画像データの記録メディアにおける記録場所とを対応付けて記憶するファイルを生成することを特徴とする。
【００１４】
請求項９記載の発明は、請求項５から８のいずれか一項に記載の記録装置において、
前記記録部は、前記記録メディアに記録された画像データを使用する機器において、前記インデックス画像を自動表示させるためのプログラムを前記記録メディアに記録することを特徴とする。
【００１５】
請求項１０記載の発明は、請求項５から９のいずれか一項に記載の記録装置において、
前記記録部は、複数のインデックス画像を記録メディアに記録することを特徴とする。
【００１６】
請求項１１記載の発明は、
記録メディアに記録された画像データを再生する再生装置であって、
前記画像データを表示する表示部と、
前記画像データが縮小された縮小画像のうち少なくとも２以上を結合して１つのファイルとして構成したインデックス画像を前記記録メディアから取得する再生部と、
前記再生部により取得されたインデックス画像を前記表示部に表示させる表示制御手段と、
を備えることを特徴とする。
【００１７】
請求項１２記載の発明は、請求項１１記載の再生装置において、
前記表示部に表示されたインデックス画像に含まれる縮小画像を選択入力させる入力部を備え、
前記再生部は、前記画像データと前記インデックス画像に含まれる縮小画像との対応付けを記憶するファイルを前記記録メディアから取得し、
前記表示制御手段は、前記入力部により選択入力された縮小画像に対応する画像データを前記ファイルに基づいて特定し、前記再生部により前記記録メディアから特定した画像データを取得させ、当該画像データを表示部に表示させることを特徴とする。
【００１８】
請求項１３記載の発明は、請求項１１又は１２記載の再生装置において、
前記再生部は、前記インデックス画像を自動表示させるためのプログラムを記録メディアから取得し、
前記表示制御手段は、当該プログラムに従って、前記再生部によりインデックス画像を取得させ、当該インデックス画像を表示部に表示させることを特徴とする。
【００１９】
請求項１４記載の発明は、
記録メディアに画像データを記録するコンピュータに、
画像データと、前記画像データが縮小された縮小画像のうち少なくとも２以上を結合して１つのファイルとして構成したインデックス画像と、前記画像データと前記インデックス画像に含まれる縮小画像との対応付けを記憶するファイルと、を記録メディアに記録する機能を実現させるためのプログラムである。
【００２０】
請求項１５記載の発明は、請求項１４記載のプログラムにおいて、
前記コンピュータに、
前記記録メディアに記録される画像データを縮小して縮小画像を生成し、少なくとも２以上の前記縮小画像を結合したインデックス画像を１つのファイルとして生成する機能を実現させることを特徴とする。
【００２１】
請求項１６記載の発明は、請求項１４又は１５記載のプログラムにおいて、
前記コンピュータに、
前記記録メディアに記録される画像データと前記インデックス画像に含まれる縮小画像との対応付けを記憶するファイルを生成する機能を実現させることを特徴とする。
【００２２】
請求項１７記載の発明は、請求項１６記載のプログラムにおいて、
前記コンピュータに、
前記インデックス画像に含まれる縮小画像の座標情報と、縮小画像に対応する画像データの記録メディアにおける記録場所とを対応付けて記憶するファイルを生成する機能を実現させることを特徴とする。
【００２３】
請求項１８記載の発明は、請求項１４から１７のいずれか一項に記載のプログラムにおいて、
前記コンピュータに、
前記記録メディアに記録された画像データを使用する機器において、前記インデックス画像を自動表示させるためのプログラムを記録する機能を実現させることを特徴とする。
【００２４】
請求項１９記載の発明は、請求項１４から１８のいずれか一項に記載のプログラムにおいて、
前記コンピュータに、
複数のインデックス画像を記録メディアに記録する機能を実現させることをと特徴とする。
【００２５】
請求項２０記載の発明は、
記録メディアに記録された画像データを再生するコンピュータに、
前記画像データを表示する機能と、
前記画像データを縮小した縮小画像のうち少なくとも２以上を結合して１つのファイルとして構成したインデックス画像を前記記録メディアから取得する機能と、
前記取得されたインデックス画像を表示部に表示させる機能と、
を実現させるためのプログラムである。
【００２６】
請求項２１記載の発明は、請求項２０記載のプログラムにおいて、
前記コンピュータに、
前記表示部に表示されたインデックス画像に含まれる縮小画像を選択入力させる機能と、
前記画像データと前記インデックス画像に含まれる縮小画像との対応付けを記憶するファイルを前記記録メディアから取得する機能と、
前記選択入力された縮小画像に対応する画像データを前記ファイルに基づいて特定し、前記記録メディアから特定した画像データを取得させ、当該画像データを表示部に表示させる機能と、
を実現させることを特徴とする。
【００２７】
請求項２２記載の発明は、請求項２０又は２１記載のプログラムにおいて、
前記コンピュータに、
前記インデックス画像を自動表示させるためのプログラムを記録メディアから取得する機能と、
当該プログラムに従って、前記インデックス画像を取得させ、当該インデックス画像を表示部に表示させる機能と、
を実現させることを特徴とする。
【００２８】
【発明の実施の形態】
以下、図を参照して本発明の実施の形態を詳細に説明する。ただし、発明の範囲は、図示例に限定されない。なお、以下では本発明における記録装置及び再生装置が、記録再生装置１に適用された場合を例として説明を行うが、記録装置及び再生装置は、別体の装置として構成されていてもよい。
【００２９】
また、記録メディアは、データを記録しておくための記録媒体であり、磁気的、または光学的に記憶を行うものである。具体的には、ＣＤ−Ｒ（CD-Recordable）、ＤＶＤ−Ｒ（Digital Versatile Disk Recordable）、ＭＯ（Magneto Optical disk）等の記録媒体を適用することが可能である。本実施の形態においては、記録メディアがＣＤ−Ｒである場合を例として説明を行う。
【００３０】
［第１の実施の形態］
まず、本第１の実施の形態における構成を説明する。
図１は、本第１の実施の形態における記録メディアの記録再生装置１の機能的構成を示す図である。図１に示すように、記録再生装置１は、ＣＰＵ１１、メモリ１２、記憶部１３、Ｉ／Ｆ１４、メモリスロット１５、ＣＤ−Ｒ記録再生部１６、表示部１７、入力部１８、Ｉ／Ｆ１９、印刷部２０、通信部２１等により構成され、メモリスロット１５及び印刷部２０を除く各部はマザーボード２２を介して接続されている。
【００３１】
ＣＰＵ（Central Processing Unit）１１は、記憶部１３に格納されている各種プログラムの中から指定されたプログラムを、メモリ１２内の図示しないワークエリアに展開し、入力部１８、及び通信部２１から入力されるデータに応じて、プログラムに従った各種処理を実行し、処理結果をメモリ１２内のワークメモリに格納する。また、処理結果を表示するための表示情報を生成して表示部１７へ出力する。
【００３２】
具体的に、ＣＰＵ１１は、記憶部１３に格納されている書込処理プログラム、読出処理プログラムを読み出して、後述する書込処理（図４参照）、読出処理（図５参照）を実行する。各処理の詳細については、後述する。
【００３３】
メモリ１２は、ＲＡＭ（Random Access Memory）、ＲＯＭ（Read Only Memory）等から構成され、ＣＰＵ１１によって実行される各種プログラムやこれら各種プログラムに係るデータ等を一時的に記憶するワークエリアを形成する。
【００３４】
記憶部１３は、プログラムやデータ等が予め記録されている記録媒体（図示せず）を有しており、この記録媒体は磁気的、光学的記録媒体、若しくは半導体メモリで構成されている。この記録媒体は、記憶部１３に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、ＣＰＵ１１は、当該プログラムコードに従った動作を逐次実行する。
【００３５】
Ｉ／Ｆ１４は、メモリスロット１５に接続され、メモリスロット１５に装着された記録媒体に格納される画像データや、ＣＰＵ１１から入力される指示信号等を入出力するためのインターフェイスである。このＩ／Ｆ１４は、例えば、ＵＳＢポートやＲＳ−２３２Ｃ端子等のシリアル入出力端子、パラレル端子、ＳＣＳＩインターフェイス、ＩｒＤＡ規格に準じた赤外線ポート等により構成される。
【００３６】
メモリスロット１５は、不揮発性の書き換え可能な半導体メモリ素子を内蔵した記録媒体を装着するための装着部（図示せず）を備えている。この記録媒体には、記録メディアであるＣＤ−Ｒ２に記録するための画像データが格納されている。
【００３７】
ＣＤ−Ｒ記録再生部１６は、記録メディアであるＣＤ−Ｒ２を装填する為のＣＤ−Ｒ装填部、圧縮部、スピンドルモータ、光ピックアップ、及び記録用磁気ヘッド、及びＣＤ−Ｒ記録再生回路等（何れも図示せず）を備えている。ＣＤ−Ｒ記録再生部１６は、ＣＰＵ１１の制御に応じて、メモリスロット１５に接続された記録媒体から読み出される画像データをＣＤ−Ｒ２に記録するとともに、ＣＰＵ１１の制御に応じて生成されたインデックス画像、リンクファイル３をＣＤ−Ｒ２に記録する。また、ＣＰＵ１１の制御に応じて、装填されたＣＤ−Ｒ２に記録されている画像データ、インデックス画像、リンクファイル３を読み出して、ＣＰＵ１１若しくは後述する表示部１７、印刷部２０又は通信部２１に出力する。
【００３８】
表示部１７は、ＣＲＴ（Cathode Ray Tube）やＬＣＤ（Liquid Crystal Display）等によってなる表示画面を備え、ＣＰＵ１１から入力される表示信号の指示に従って入力部１８により入力される入力情報や、通信部２１を介して送受信される情報を表示情報として表示画面上に表示する。
【００３９】
入力部１８は、文字キー、数字キー、及び各種機能キーを備えたキーボードを含み、このキーボードで押下されたキーに対応する押下信号をＣＰＵ１１に出力する。また、入力部１８は、必要に応じてマウス、タッチパネル等のポインティングデバイスや、その他の入力装置を備えるものとしてもよい。
【００４０】
Ｉ／Ｆ１９は、印刷部２０に接続され、ＣＰＵ１１から出力される指示信号に応じて画像データ等を印刷部２０に出力するためのインターフェイスである。このＩ／Ｆ１９は、例えば、ＵＳＢポートやＲＳ−２３２Ｃ端子等のシリアル入出力端子、パラレル端子、ＳＣＳＩインターフェイス、ＩｒＤＡ規格に準じた赤外線ポート等により構成される。
【００４１】
印刷部２０は、連続紙、またはカット紙が印刷用紙として装着された給紙部（図示せず）と排紙部（図示せず）を備え、ＣＰＵ１１の制御に応じてメモリ１２から入力される印刷データを、赤外レーザ光やＬＥＤ（Light-Emitting Diode）による投射光を用いた電子写真方式によって、上記印刷用紙に印刷データを転写して排紙出力する。
【００４２】
通信部２１は、ＬＡＮ（Outline of Local Area Network）、ＷＡＮ（Wide Area Networ）等のネットワークに接続された伝送媒体に接続可能なインターフェイスである。通信部２１は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００４３】
図２は、記録再生装置１によりＣＤ−Ｒ２に記録されたデータの構成例を示す図である。図２に示すように、ＣＤ−Ｒ２には、階層化ディレクトリ構造によりディレクトリが構成され、ディレクトリの中に、画像データ、インデックス画像、リンクファイル３が分類されて記録されている。
【００４４】
まず、最上位の階層には「ROOT」ディレクトリが構成されており、「ROOT」ディレクトリの中には、「DCIM」ディレクトリ、リンクファイル３が格納されている。「DCIM」ディレクトリの中には、画像データのファイルとして、「DCF00001.jpg」、「DCF00002.jpg」、「DCF00002.jpg」、「DCF00004.jpg」、・・・が記録され、さらに、インデックス画像のファイルとして、「index1.jpg」が記録されている。このインデックス画像は、ＣＤ−Ｒ２に記録される画像データを縮小することにより生成された縮小画像が複数結合され、１つのファイルとして構成されたデータである。すなわち、複数の縮小された画像データは、インデックス画像のファイルにアクセスすることにより、同時に取得可能な構成となっている。
【００４５】
また、「ROOT」ディレクトリに記録されるリンクファイル３は、インデックス画像の座標から対応する画像データを取得するための相対パスを記録したファイルである。図３（ａ）を参照して、リンクファイル３のデータ構成について説明する。図３（ａ）に示すように、リンクファイル３は、テキスト形式により構成されるファイルであり、インデックス画像上で縮小画像が表示される領域の座標と対応付けて、ＣＤ−Ｒに記録されている画像データの相対パスを記録している。ここで、相対パスは、階層構造の位置を使ってファイルの記録場所を特定する情報であり、起点となる位置から目的のファイルやフォルダまでの道筋を記述するものである。
【００４６】
リンクファイル３の最上段に記録される情報を具体的に説明すると、最上段の左端に記録されている「０」は、画像開始Ｘ座標を示し、その右側の「０」は、画像開始Ｙ座標を示している。その右側の「１００」は、画像終了Ｘ座標を示し、その右側の「１００」は、画像終了Ｙ座標を示している。さらに、その右側には、「DCIM/DCF00001.jpg」として、画像データへの相対パスが記録されている。この相対パスは、「ＤＣＩＭ」ディレクトリに格納される「DCF00001.jpg」ファイルにリンクされていることを示している。すなわち、図３（ｂ）に示すように、座標「0.0.100.100」で示される領域に表示される画像１は、相対パスにより、「DCIM」ディレクトリに格納される「DCF00001.jpg」の画像データに対応付けられている。
【００４７】
次に、本第１の実施の形態における動作を説明する。
なお、動作説明の前提として、以下のフローチャートに記述されている各処理を実現するためのプログラムは、記録再生装置１のＣＰＵ１１が読み取り可能なプログラムコードの形態で記憶部１３に格納されており、ＣＰＵ１１は、当該プログラムコードに従った動作を逐次実行する。
【００４８】
図４は、ＣＰＵ１１により実行される書込処理を示すフローチャートである。図４に示すように、ＣＰＵ１１は、入力部１８を介して書込み指示が入力されたか否かを判別し（ステップＳ１）、書込み指示が入力された場合（ステップＳ１；ＹＥＳ）、メモリスロット１５に記録媒体が装着されているか否かを判別する（ステップＳ２）。
【００４９】
メモリスロット１５に記録媒体が装着されている場合（ステップＳ２；ＹＥＳ）、ＣＰＵ１１は、Ｉ／Ｆ１４を介して、メモリスロット１５に装着された記録媒体から画像データの読出しを行う（ステップＳ３）。次いで、ＣＰＵ１１は、読出した画像データについて、それぞれ縮小画像を生成する（ステップＳ４）。続いて、ＣＰＵ１１は、インデックス画像の座標に基づいて、生成した縮小画像を結合して、インデックス画像を生成する（ステップＳ５）。
【００５０】
さらに、ＣＰＵ１１は、インデックス画像の座標に対する画像データの相対パスをリンクファイル３に記憶する（ステップＳ６）。そして、ＣＰＵ１１は、ＣＤ−Ｒ記録再生部１６を制御して、記録媒体から読出した画像データ、生成したインデックス画像及びリンクファイル３をＣＤ−Ｒに記録させる（ステップＳ７）。次いで、ＣＰＵ１１は、ＣＤ−Ｒへの書込みが終了したか否かを判別して（ステップＳ８）、書込みが終了していない場合（ステップＳ８；ＮＯ）、ステップＳ３に移行して、上述した処理を繰り返して実行する。また、ＣＤ−Ｒへの書込みが終了した場合（ステップＳ８；ＹＥＳ）、ＣＰＵ１１は、本書込処理を終了する。
【００５１】
次に、図５を参照して、画像データ、インデックス画像及びリンクファイル３が記録されたＣＤ−Ｒの読出処理について説明する。図５は、ＣＰＵ１１により実行される読出処理を示すフローチャートである。図５に示すように、ＣＰＵ１１は、入力部１８から入力される指示に応じて、ＣＤ−Ｒ記録再生部１６にＣＤ−Ｒが装填されたことを検出し（ステップＳ１１；ＹＥＳ）、ＣＤ−Ｒ記録再生部１６を制御してＣＤ−Ｒ２に記録されているインデックス画像の読出しを行う（ステップＳ１２）。
【００５２】
次いで、ＣＰＵ１１は、読出したインデックス画像を表示部１７に表示させ（ステップＳ１３）、表示したインデックス画像上で縮小画像が選択指示されたか否かを判別する（ステップＳ１４）。インデックス画像上で縮小画像が選択指示された場合（ステップＳ１４；ＹＥＳ）、ＣＰＵ１１は、選択指示された縮小画像が表示されている領域に対応する座標を取得する（ステップＳ１５）。次いで、ＣＰＵ１１は、ＣＤ−Ｒ２に記録されているリンクファイル３を読み出して、取得した座標に対応する画像データの相対パスを取得して、画像データを特定する（ステップＳ１６）。
【００５３】
さらに、ＣＰＵ１１は、特定された画像データを相対パスに基づいてＣＤ−Ｒから読出し（ステップＳ１７）、入力部１８から入力される指示に応じて、表示部１７、印刷部２０又は通信部２１に画像データを出力する（ステップＳ１８）。そして、ＣＰＵ１１は、画像データの読出しが終了したか否かを判別し（ステップＳ１９）、画像データの読出しを終了する指示が入力された場合（ステップＳ１９；ＹＥＳ）、ＣＰＵ１１は、本読出処理を終了する。また、画像データの読出しを継続する指示が入力された場合（ステップＳ１９；ＮＯ）、ＣＰＵ１１は、ステップＳ１４に移行して、上述した処理を繰り返して実行する。
【００５４】
図６は、上述した読出処理のステップＳ１３において、表示部１７に表示されたインデックス画像の表示画面例を示す図である。図６に示すように、インデックス画像には、１６枚の画像データが縮小され一覧表示されており、それぞれの縮小画像に対応する領域を指示することにより、対応する画像データが選択され、表示部１７に表示、印刷部２０から印刷又は通信部２１を介して外部の装置に転送される構成となっている。
【００５５】
以上のように、本第１の実施の形態によれば、複数の画像データを縮小した縮小画像を含むインデックス画像を１つのファイルとして作成して、ＣＤ−Ｒにインデックス画像を記録させておくことにより、インデックス画像を表示させる指示が入力された場合、インデックス画像を速やかに表示させることができる。すなわち、インデックス画像を作成する手間及び時間を必要としないため、ＣＤ−Ｒに記録される画像データの確認を速やかに行うことができ、利便性が良い。
【００５６】
また、表示されたインデックス画像において、縮小画像を選択指示することにより、リンクファイル３に基づいて対応する画像データをＣＤ−Ｒ２から取得させて、表示部１７に表示、印刷部２０から印刷又は通信部２１を介して外部の装置に転送等を行うことができるため、ユーザは、ＣＤ−Ｒ２に記録される画像データを表示部１７で確認しながら種々の処理を実行することができる。したがって、操作性が良く、作業効率が向上する。
【００５７】
なお、上述した本第１の実施の形態における記述は、本発明に係る好適な記録再生装置１の一例であり、これに限定されるものではない。
例えば、本第１の実施の形態においては、ＣＤ−Ｒに記録されるインデックス画像のファイルが１つである場合を例として説明を行ったが、複数のインデックス画像のファイルを記録可能であることは勿論である。例えば、インデックス画像に含まれる縮小画像が４×４枚である場合、１つのインデックス画像には１６枚の縮小画像が表示される。したがって、１６枚以上の画像データがＣＤ−Ｒに記録される場合は、複数のインデックス画像のファイルを記録することにより、ＣＤ−Ｒに記録された画像データを複数のインデックス画像により表示させることができる。
【００５８】
また、インデックス画像に表示される縮小画像と、画像データとの対応付けを記憶するリンクファイル３は、テキスト形式により構成される場合を例として説明を行なったが、これに限らず種々の形態により対応付けが記憶される構成であって良い。例えば、インデックス画像に表示される縮小画像を座標を用いて特定する構成としたが、予め生成されるテンプレートに対応して特定される構成であっても良い。また、縮小画像に対応する画像データを相対パスによりＣＤ−Ｒ２における記録場所を示すことにより特定する構成として説明を行なったが、これに限定されず、縮小画像に対応する画像データが特定できる情報であれば良い。
【００５９】
［第２の実施の形態］
次に、本発明を適用した第２の実施の形態について説明する。
本第２の実施の形態における記録再生装置１は、第１の実施の形態に示した記録再生装置１と同様の構成によってなるため、同一の構成部分については同一の符号を付し、その構成については図示及び説明を省略する。以下、本第２の実施の形態に特徴的な構成及び処理について説明する。
【００６０】
本第２の実施の形態に特徴的な構成として、ＣＤ−Ｒ２のデータ構成について説明する。図７は、記録再生装置１によりデータが記録されたＣＤ−Ｒ２のデータ構成例を示す図である。図７に示すように、ＣＤ−Ｒ２には、「ROOT」ディレクトリの下に、インデックス画像を自動再生するためのプログラムである「autorun.inf」、画像データ及びインデックス画像のファイルを格納する「ＤＣＩＭ」ディレクトリ、縮小画像が表示される領域を示す座標と画像データの相対パスを対応付けたリンクファイル３、画像データを表示部１７に表示させるための「Aplication」が格納されている。
【００６１】
「autorun.inf」は、例えば、HTML形式により記述されており、インデックス画像を自動再生する際にＣＰＵ１１により実行されるプログラムである。「Aplication」は、画像データを表示部１７に表示させるためのアプリケーションであり、実行形式、或いはインストーラ形式であっても良い。また、予め記録再生装置１に搭載されているアプリケーションを利用する場合は、ＣＤ−Ｒ２に「Aplication」が記録されていなくても良い。
【００６２】
次に、図８を参照して、本第２の実施の形態における動作について説明する。図８は、ＣＰＵ１１により実行される読出処理２を示すフローチャートである。図８に示すように、ＣＰＵ１１は、ＣＤ−Ｒ記録再生部１６にＣＤ−Ｒ２が装填されたか否かを判別し（ステップＳ２１）、ＣＤ−Ｒ２が装填されたことを検出すると（ステップＳ３１；ＹＥＳ）、ＣＤ−Ｒ記録再生部１６を制御してＣＤ−Ｒ２に記録されている自動再生プログラムを読出して実行し、インデックス画像の読出しを行う（ステップＳ２２）。
【００６３】
次いで、ＣＰＵ１１は、読出したインデックス画像を表示部１７に表示させ（ステップＳ２３）、ＣＤ−Ｒの確認の指示が入力されたか否かを判別する（ステップＳ２４）。ここで、装填されたＣＤ−Ｒの確認がＯＫでない場合（ステップＳ２４；ＮＯ）、すなわち、ユーザが所望する画像データが装填されたＣＤ−Ｒ２に含まれていない場合、ＣＰＵ１１は、ＣＤ−Ｒ記憶再生部１６を制御して、装填されたＣＤ−Ｒを排出させ（ステップＳ３１）、本読出処理２を終了する。
【００６４】
一方、装填されたＣＤ−Ｒの確認がＯＫであった場合（ステップＳ２４；ＹＥＳ）、すなわち、ユーザが所望する画像データが装填されたＣＤ−Ｒ２に含まれていた場合、ＣＰＵ１１は、表示したインデックス画像上で縮小画像が選択指示されたか否かを判別する（ステップＳ２５）。ここで、インデックス画像上で縮小画像が選択指示された場合（ステップＳ２５；ＹＥＳ）、ＣＰＵ１１は、選択指示された縮小画像が表示されている領域に対応する座標を取得する（ステップＳ２６）。次いで、ＣＰＵ１１は、ＣＤ−Ｒ２に記録されているリンクファイル３を読み出して、取得した座標に対応する画像データの相対パスを取得して、画像データを特定する（ステップＳ２７）。
【００６５】
さらに、ＣＰＵ１１は、特定された画像データを相対パスに基づいてＣＤ−Ｒから読出し（ステップＳ２８）、入力部１８から入力される指示に応じて、表示部１７、印刷部２０又は通信部２１に画像データを出力する（ステップＳ２９）。そして、ＣＰＵ１１は、画像データの読出しが終了したか否かを判別し（ステップＳ３０）、画像データの読出しを終了する指示が入力された場合（ステップＳ３０；ＹＥＳ）、ＣＰＵ１１は、本読出処理２を終了する。また、画像データの読出しを継続する指示が入力された場合（ステップＳ３０；ＮＯ）、ＣＰＵ１１は、ステップＳ２５に移行して、上述した処理を繰り返して実行する。
【００６６】
図９は、上述した読出処理２のステップＳ２３において、表示部１７に表示されたインデックス画像の表示画面例を示す図である。図８に示すように、表示部１７には、インデックス画像とともに、装填されたＣＤ−Ｒの確認を促すメッセージが表示されている。ここで、装填されたＣＤ−Ｒに所望する画像データが含まれていた場合、「ＹＥＳ」を指示することにより、画像データの読出しを行うことができる。また、装填されたＣＤ−Ｒに所望する画像データが含まれていない場合、「ＮＯ」を指示することにより、装填されたＣＤ−ＲがＣＤ−Ｒ記録再生部１６から排出される。
【００６７】
以上のように、本第２の実施の形態によれば、記録再生装置１にＣＤ−Ｒ２を装填するだけで、ＣＤ−Ｒ２に記録されたインデックス画像が自動再生され、表示部１７に表示されるため、速やかにＣＤ−Ｒ２に記録された画像データを確認することができ、利便性が良い。また、装填したＣＤ−Ｒ２に所望した画像データが含まれていなかった場合、確認の指示を入力するだけで、装填したＣＤ−Ｒが排出される。これにより、ユーザは面倒な操作を必要とせずに、ＣＤ−Ｒを排出させて、新たなＣＤ−Ｒを装填させることができ、操作性が良い。
【００６８】
なお、上述した本第２の実施の形態における記述は、本発明に係る好適な記録再生装置１の一例であり、これに限定されるものではない。また、本第１及び第２の実施の形態における記録再生装置１の細部構成及び細部動作に関しても、本発明の趣旨を逸脱することのない範囲で適宜変更可能であることはもちろんである。
【００６９】
【発明の効果】
本発明によれば、複数の画像データを縮小した縮小画像を含むインデックス画像を１つのファイルとして作成し、記録メディアにインデックス画像を記録させておくことにより、速やかにインデックス画像を表示させて、記録メディアに記録された画像データを確認することができる。また、表示部に表示させたインデックス画像の縮小画像を選択指示させることにより、選択指示された縮小画像に対応する画像データを取得させることができるため、例えば、ユーザは、インデックス画像を閲覧しながら所望する画像データを選択して、表示、印刷、送信等の各種処理を行うことができ、操作性が良い。
【図面の簡単な説明】
【図１】本発明を適用した実施の形態における記録再生装置１の構成を示すブロック図である。
【図２】ＣＤ−Ｒ２に記録されるデータの構成例を示す図である。
【図３】（ａ）ＣＤ−Ｒ２に記録されるリンクファイルのデータ構成例を示す図である。（ｂ）リンクファイルに記録される座標と、縮小画像が表示される領域との関係を示す図である。
【図４】図１のＣＰＵ１１により実行される書込処理を示すフローチャートである。
【図５】図１のＣＰＵ１１により実行される読出処理を示すフローチャートである。
【図６】図５のステップＳ１３において表示部１７に表示されるインデックス画像の表示画面例を示す図である。
【図７】本第２の実施の形態におけるＣＤ−Ｒ２に記録されるデータの構成例を示す図である。
【図８】本第２の実施の形態におけるＣＰＵ１１により実行される読出処理２を示すフローチャートである。
【図９】図８のステップＳ２３において表示部１７に表示されるインデックス画像の表示画面例を示す図である。
【符号の説明】
１    記録再生装置
１１    ＣＰＵ
１２    メモリ
１３    記憶部
１４    Ｉ／Ｆ
１５    メモリスロット
１６    ＣＤ−Ｒ記録再生部
１７    表示部
１８    入力部
１９    Ｉ／Ｆ
２０    印刷部
２１    通信部
２    ＣＤ−Ｒ
３    リンクファイル
【図１】
2004208054.tif 000003
【図２】
2004208054.tif 000004
【図３】
2004208054.tif 000005
【図４】
2004208054.tif 000006
【図５】
2004208054.tif 000007
【図６】
2004208054.tif 000008
【図７】
2004208054.tif 000009
【図８】
2004208054.tif 000010
【図９】
2004208054.tif 000011